(57)【要約】【課題】  装置全体の剛性や外部からの振動等に対する耐性に加えて、周波数特性が向上し、スピーカとしての品質向上が図れるスピーカ装置を提供する。【解決手段】  一面側の壁４ａに主放音口６を有するスピーカボックス２と、主放音口６に前面を向けてスピーカボックス内に取り付けられるスピーカ３と、このスピーカの前部を壁４ａに対して固定する一面側固定手段（ネジ部材３６）と、スピーカボックスの他面側の壁５ａから内側に突出するように設けられた仕切壁２２により囲まれた空間として形成され、スピーカから背面側に放出される音を外部に導出する音響路２１と、スピーカ背面を仕切壁２２に対して固定する他面側固定手段（ネジ部材２６）と、を備えた構成とする。【選択図】    図１
2012186576.tif 000002
【特許請求の範囲】
【請求項１】
スピーカボックスと、磁石を備えたスピーカとを有し、このスピーカにおける前記磁石と反対側に位置する前面が前記スピーカボックス内の一面に取り付けられたスピーカ装置において、
前記スピーカボックス内における前記スピーカの前記磁石側に位置する他面に設けられて前記スピーカの一部の音を増幅する音増幅部と、
この音増幅部に対して前記スピーカの前記磁石側の部材を固定する固定部材と
を備えていることを特徴とするスピーカ装置。
【請求項２】
請求項１に記載のスピーカ装置において、前記固定部材は、前記音増幅部と前記磁石側の部材とを締結するネジ部材であることを特徴とするスピーカ装置。
【請求項３】
請求項１に記載のスピーカ装置において、前記固定部材は、前記音増幅部に固定されて磁力によって前記磁石側の部材に吸着固定される磁性部材であることを特徴とするスピーカ装置。
【請求項４】
請求項１〜請求項３のいずれかに記載のスピーカ装置において、前記音増幅部には、補助放音口が設けられていることを特徴とするスピーカ装置。
【発明の詳細な説明】
【技術分野】
【０００１】
この発明は、スピーカボックス内にスピーカを取り付けてなるスピーカ装置に関する。
【背景技術】
【０００２】
一般に、スピーカ装置においては、特許文献１、２に記載されているように、スピーカユニットのフレームの前部をスピーカボックスの前面壁にボルトやネジでネジ止めすることによって、スピーカユニットをスピーカボックス内に片持ち状に固定して取り付けている。このため、スピーカユニットの背部に配置される重い永久磁石やヨーク（磁気回路構成部品）が上記前面壁に対してオーバーハングされた状態となっている（例えば、特許文献１の図３や特許文献２の図５参照）。また、特許文献１、２で提案されたスピーカ装置は、スピーカユニットの背面等をスピーカボックスに対して弾力的に支持する構造である。
【先行技術文献】
【特許文献】
【０００３】
【特許文献１】特開平０９−２０９８６０号公報
【特許文献２】特開２００４−２８９２２１号公報
【発明の概要】
【発明が解決しようとする課題】
【０００４】
このため、上記従来のスピーカ装置では、装置全体の剛性や外部からの振動等に対する耐性を高めるのが困難で、スピーカとしての特性や品質の向上に限界があった。というのは、例えばスピーカボックスがスピーカユニットの振動板の振動の反作用等で振動すると、この振動が不要音となりスピーカとしての音質が劣化する場合があるので、スピーカボックス自体の剛性を高めるとともに、スピーカボックスに対して相対的に微動だにしないようにスピーカユニットを取り付けるのが理想であるが、上述したような片持ち状の取付構造では、これは困難である。特に、コスト低減や小型化のために、スピーカボックスの板厚をなるべく薄くしようとすると、より困難になる。また、スピーカユニットの背面等を弾力的に支持する構造では、スピーカボックスを含めたスピーカ装置全体の剛性が高まるわけではない。また、特許文献１、２で提案されたスピーカ装置のように単なる密閉型のスピーカボックスであると、例えばスピーカボックスが小型なものである場合、スピーカユニットの振動板の動きが制限され、低音の少ない詰まった音になりやすいという問題もある。
【０００５】
また、スピーカユニットを片持ち状に固定している場合、スピーカ装置が例えば携帯機器や車両等に設けられ、外部から振動や衝撃が加わると、スピーカユニットを固定しているネジやボルトなどの締結部材に大きな負荷がかかり、この締結部材が損傷するなどの故障の可能性を十分に低減することが困難となる。
そこで、この発明が解決しようとする課題は、装置全体の剛性や外部からの振動等に対する耐性に加えて、周波数特性が向上し、スピーカとしての品質向上が図れるスピーカ装置を提供することである。
【課題を解決するための手段】
【０００６】
この発明は、スピーカボックスと、磁石を備えたスピーカとを有し、このスピーカにおける前記磁石と反対側に位置する前面が前記スピーカボックス内の一面に取り付けられたスピーカ装置において、
前記スピーカボックス内における前記スピーカの前記磁石側に位置する他面に設けられて前記スピーカの一部の音を増幅する音増幅部と、
この音増幅部に対して前記スピーカの前記磁石側の部材を固定する固定部材と
を備えていることを特徴とするスピーカ装置である。
なお、「磁石側の部材」としては、少なくとも次のものがあり得る。即ち、スピーカの磁気回路を構成する永久磁石又はヨークでもよいし、或いは、スピーカの磁石側を覆うカバーなどの部材でもよい。
【発明の効果】
【０００７】
この発明によれば、スピーカの前面がスピーカボックスの一面に取り付けられるとともに、スピーカの磁石側（即ち背面側）の部材が固定部材によりスピーカボックスの他面に設けられた音増幅部に対して固定される。このため、スピーカが両持ち状態でスピーカボックスの一面側と他面側の壁の間に取り付けられることになるとともに、音増幅部とスピーカとがスピーカボックスの一面側と他面側の壁の間に設けられた補強部材としても作用し、スピーカ装置全体の剛性や外部からの振動や衝撃に対する耐性が格段に高まる。しかも、このように補強部材としても作用する音増幅部によって、スピーカから出力される一部の音（例えば、低音）の音圧を増強して小型でも良い周波数特性（例えば、低音特性）が実現できる。
【図面の簡単な説明】
【０００８】
【図１】この発明を適用したスピーカ装置の第１実施形態を示した図であり、（ａ）は側断面図、（ｂ）は部分斜視図、（ｃ）は部分断面図である。
【図２】この発明を適用したスピーカ装置の第２実施形態を示した図であり、（ａ）は側断面図、（ｂ）は部分斜視図、（ｃ）は部分断面図である。
【図３】この発明を適用したスピーカ装置の他の実施形態を示した図であり、（ａ）は第３実施形態の部分断面図、（ｂ）は第４実施形態の部分斜視図、（ｃ）は第４実施形態の部分断面図である。
【図４】比較例としてのスピーカ装置を示す図であり、（ａ）は比較例１の側断面図、（ｂ）は比較例２の側断面図、（ｃ）は比較例３の側断面図である。
【発明を実施するための形態】
【０００９】
以下、図１を参照して、この発明の第１実施形態であるスピーカ装置１について説明する。図１（ａ）はスピーカ装置１全体の側断面図であり、図１（ｂ）は後述する仕切壁２２が設けられた後ケース５の底部中央を斜め前方から見た部分斜視図であり、図１（ｃ）は図１（ｂ）にＣ−Ｃで示した面（後述するスピーカ３の中心軸線を含む面）でスピーカ装置１のスピーカ背面側を破断して見た部分拡大断面図である。以下では、図１（ａ）における上下方向を前後方向とし、図１（ａ）における左右方向を横方向とする。
【００１０】
本実施形態のスピーカ装置１は、図１（ａ）に示すように、スピーカボックス２（いわゆるエンクロージャー）と、スピーカ３（いわゆるスピーカユニット）とを有し、このスピーカ３における前面がスピーカボックス２内の一面（後述する前側の壁４ａの内面）に取り付けられてなる装置（いわゆるスピーカシステム）である。なお、この場合のスピーカ装置１は、例えばフルレンジのスピーカ３を１個だけ備えるワンウェイスピーカシステムである。
【００１１】
スピーカボックス２は、例えば合成樹脂製の前ケース４と後ケース５とよりなる。このスピーカボックス２内におけるスピーカ３の背面側（磁石側）に位置する他面（即ち、後述する後側の壁５ａの内面）には、スピーカ３から出力される一部の音を増幅する音増幅部２０が設けられている。この音増幅部２０の構成については、後述する。
【００１２】
前ケース４は、後面が開口した箱形のケースであり、前面側（図１（ａ）における上側）の壁４ａには、主放音口６が形成されている。この前ケース４の後面側（図１（ａ）における下側）の端縁には、例えば全周に亘って嵌合部４ｂが形成され、この嵌合部４ｂには、後ケース５の前面側の端縁が内側に嵌り込む嵌合凹部が形成されている。また、前ケース４の前面側の壁４ａの内面には、ケース固定用のネジ部材７をねじ込むためのボス８が後方に向かって突出するように形成されている。このボス８は、スピーカ３と干渉しないよう、主放音口６から横方向に離れた複数個所に設けられている。また、前ケース４の主放音口６の周縁部における複数個所には、後述する一面側固定手段としてのネジ部材３６をねじ込むためのねじ取付部６ａが設けられている。
【００１３】
そして後ケース５は、前面が開口した箱形のケースであり、前面側（図１（ａ）における上側）の端縁が前ケース４の前述した嵌合部４ｂの嵌合凹部内にはめ込まれ、この後ケース５と前ケース４とでスピーカ３の周囲を覆うスピーカボックス２を構成している。この後ケース５の後面側（図１（ａ）における下側）の壁５ａには、この場合主放音口６と同軸上の位置に補助放音口９が形成されている。本例の場合、補助放音口９は主放音口６より小径なものとなっている。なお、この補助放音口９は、音増幅部２０の放音口であるが、後述する他面側固定手段としてのネジ部材２６（本願発明の固定部材に相当）を外部後方から挿入するためのねじ挿入部としても機能している。
【００１４】
また、後ケース５の後面側の壁５ａにおいて、前述のボス８と同軸上の位置には、ケース固定用のネジ部材７を外部後方から挿入するためのねじ挿入凹部１０が前方に向かって突出するように形成されている。このねじ挿入凹部１０の奥には、ネジ部材７の軸部を挿通するための挿通孔（符号省略）が形成され、ネジ部材７の軸部は、この挿通孔から挿入されて前述のボス８にねじ込まれている。
【００１５】
次に、スピーカ３は、例えばダイナミック型のスピーカユニットである。即ち、例えばリング状の永久磁石３１の内側に図示省略したボイスコイル（紙や合成樹脂の筒に導線を巻きつけたもの）が配置され、永久磁石３１から構成される磁気回路による磁界中においてボイスコイルの導線に電流が流れると、このボイスコイルに直結された振動板３２がボイスコイルとともに前後に振動することによって音を放射するものである。永久磁石３１には効率よく磁気回路を構成するためのヨーク３３が組みつけられ、これら永久磁石３１とヨーク３３は、スピーカ３の骨組であるフレーム３４の背面側に固定される。なお本願では、永久磁石を使用したスピーカの場合、永久磁石のみ、或いは永久磁石とヨークとを含んだ概念を、「磁石」と称している。
【００１６】
フレーム３４の側部には、開口３５が形成され、この開口３５からフレーム３４の内側にある振動板３２が露出している。フレーム３４の前部外周の複数個所（前述のねじ取付部６ａに対応する位置）には、スピーカ３の前部をスピーカボックス２の一面側（前面側）の壁４ａに対して固定する一面側固定手段としてのネジ部材３６を挿通するための挿通孔（符号省略）が形成されたねじ座面部３７が形成されている。また、フレーム３４の側面には、ボイスコイルの導線に導通する端子３８（例えば図１（ａ）の紙面に直交する方向にプラスとマイナスのそれぞれの電極が並んで有るもの）が設けられ、この端子３８に接続される配線３９を介してスピーカ３を電気的に駆動する外部の回路（図示省略）との電気的接続が行われる。なお、配線３９は、例えばスピーカボックス２に設けられた小孔（図示省略）を通してそのまま外部に引き出されていてもよいし、スピーカボックス２に設けられたターミナル（図示省略）において外部配線と接続される構成であってもよい。
【００１７】
次に音増幅部２０について説明する。
音増幅部２０は、音響路２１を有する。音響路２１は、スピーカボックス２の後面側の壁５ａと、この壁５ａから内側（前方）に突出するように設けられた仕切壁２２と、スピーカ３の背面（この場合、ヨーク３３の背面）とにより囲まれた空間として形成され、スピーカ３から背面側に放出される音をスピーカボックス２の外に向けて導出するものである。ここで、仕切壁２２は、その突出高さが、後ケース５の後面側の壁５ａとスピーカ３の背面との間の距離に略等しく設定されており、組立状態においては、仕切壁２２の先端がスピーカ３の背面（この場合、ヨーク３３の背面）に接合（或いは、極めて僅かな隙間で対向）する構成となっている。また、本例の仕切壁２２は、後ケース５と一体成形によって設けられ、図１（ｂ）に示すように前面から見て全体として渦巻き状に形成されている。これにより、本例の音響路２１は、スピーカ３の背面の外周側から中心側に向かう渦巻き状のものとされ、前記外周側の始端２１ａが音の入口としてスピーカ３の背面側に開口し、前記中心側の終端２１ｂが音の出口である補助放音口９に接続され、当該音響路２１内を伝播した音が補助放音口９から外部に放音される構成となっている。
【００１８】
図１（ｃ）に拡大して示すように、補助放音口９の奥には、スピーカボックス５の後面側の壁５ａから内側（前方）に突出するように設けられた仕切壁中心部２３のネジ台座部２３ａが配置され、このネジ台座部２３ａには後述するネジ部材２６の挿通孔２４が形成されている。なお、仕切壁中心部２３は、補助放音口９の周縁部から内側（前方）に突出するように設けられた円筒状部２３ｂと、この円筒状部２３ｂの先端を塞ぐように形成されたネジ台座部２３ａとを有するものであり、後述するネジ部材２６（固定部材）の取付部として機能している。また、この仕切壁中心部２３の円筒状部２３ｂには音響路２１の一部を構成する開口２５が形成されている。なお、円筒状部２３ｂは、仕切壁２２と突出高さが同じであり、音響路２１を形成する仕切壁２２の一部としても機能しており、この円筒状部２３ｂの内部が音響路２１の終端２１ｂとなっている。そして、図１（ｂ），（ｃ）に矢印で示すように、音響路２１の始端２１ａから入力された音が、前記開口２５や音響路２１の終端２１ｂを経由して補助放音口９から外部に放音される構成となっている。
【００１９】
この場合、補助放音口９や挿通孔２４は、スピーカ３の永久磁石３１やヨーク３３の中心軸線上に設けられている。そして、補助放音口９から挿通孔２４に挿通されて、図１（ｃ）に示すように、スピーカ３における背面側中心部の部材（この場合、ヨーク３３）に軸部がねじ込まれるネジ部材２６（本願発明の固定部材）によって、スピーカ３の磁石側の背面部が音増幅部２０に対して締結され固定されている。即ち、前述したネジ部材３６が、スピーカ３の前部をスピーカボックス２の前面側の壁４ａに対して固定する一面側固定手段であるのに対して、上記ネジ部材２６は、スピーカ３の背面を音響路２１の仕切壁２２に対して固定する他面側固定手段を構成している。
【００２０】
次に、このスピーカ装置１を組み立てる場合について説明する。
まず、主放音口６に前面を向けてスピーカ３を配置し、ネジ部材３６によって前ケース４に対してスピーカ３を固定し、配線３９の引き回しや端子３８への接続等を行う。次いで、後ケース５の前面側の端縁を前ケース４の嵌合部４ｂ内にはめ込んで、後ケース５を前ケース４に対して取り付ける。その後、前述したネジ部材７やネジ部材２６をねじ込んで、後ケース５を前ケース４に固定するとともに、スピーカ３の背面部を音増幅部２０（仕切壁２２）に対して固定すれば、スピーカ装置１が完成する。このように本例のスピーカ装置１は、音増幅部２０やスピーカ背面を固定する構造を有しているにもかかわらず、後述する比較例１（図４（ａ））に比較して組立工数の増加がほとんど無く、容易に組み立て可能である。
【００２１】
次に、スピーカ３から背面側に放出される音の伝播（音増幅部２０の作用）について説明する。音増幅部２０は、例えば、いわゆるバックロードホーン型スピーカ装置のバックロードホーンと同様の作用を奏する。即ち、スピーカ３から背面側に放出される音は、前述したように音増幅部２０の音響路２１を経由し補助放音口９からスピーカボックス２の外部後方に放出される。音響路２１は、既述したように直線的ではないため、回折し易い低音が回折し難い高音よりも伝播して補助放音口９から強く出力され、補助放音口９からスピーカボックス２の前面側に回り込んで伝播する過程でも高音側がさらに減衰する。このため、スピーカ３から主放音口６を介して前面側に放出される音と、補助放音口９から出力されてスピーカボックス２の前面側に回り込む音が位相の関係で打ち消し合わないように、音響路２１の路長等を設定してやれば、スピーカボックス２の前面側に出力される音の一部（この場合低音）を増強して、周波数特性（この場合低音特性）を改善することができる。
【００２２】
本実施形態のスピーカ装置１によれば、次のような効果が得られる。
即ち、スピーカ３の前部がネジ部材３６によりスピーカボックス２内の前面（壁４ａの内面）に対して固定されるとともに、スピーカ３の背面部がネジ部材２６（固定部材）によりスピーカボックス２内の後面（壁５ａの内面）に設けられた音増幅部２０に対して固定される。このため、スピーカ３が両持ち状態でスピーカボックス２の前面側の壁４ａと後面側の壁５ａの間に固定されることになるとともに、音増幅部２０を形成する仕切壁２２とスピーカ３とがスピーカボックス２の前面側の壁４ａと後面側の壁５ａの間に設けられた補強部材としても作用し、これによりスピーカ装置全体の剛性や外部からの振動や衝撃に対する耐性が格段に高まる。しかも、このように補強部材としても作用する仕切壁２２により形成された音増幅部２０によって、例えば低音の音圧を増強して小型でも良い周波数特性（特に低音特性）が実現できる。
【００２３】
なお図４（ａ）は、第１実施形態の効果を対比して説明するための比較例１を示す図である。以下、図１（ａ）と同じ構成要素には同符号を付して重複説明を省略する（他の比較例でも同様）。この比較例１のスピーカ装置５１は、第１実施形態の音増幅部２０（仕切壁中心部２３含む）が無く、背面側の固定部材であるネジ部材２６も無い構成（従来と同様の構成）である。この比較例１のような構成であると、スピーカ３が前部のみで片持ち状に支持されているため、既述したようにスピーカ前面側を固定するネジ部材３６に比較的大きな負荷がかかり、外部からの振動等に弱いという問題や、装置全体の剛性を高め難いといった問題がある。また、密閉型のスピーカボックスであるため、低音の少ない詰まった音になりやすいといった問題もある。
【００２４】
次に図４（ｂ）は、比較例２を示す図である。この比較例２のスピーカ装置５２は、第１実施形態の音増幅部２０（仕切壁中心部２３を除く）が無く、仕切壁中心部２３と背面側の固定部材であるネジ部材２６が有る構成である。この比較例２のような構成であると、第１実施形態と同様にスピーカ３が両持ち状に支持されて補強部材としても機能するため、スピーカ装置全体の剛性や外部からの振動や衝撃に対する耐性が格段に高まる。但し、例えばスピーカボックスが小型なものである場合、低音の少ない詰まった音になりやすいといった問題は改善できない。また、第１実施形態（図１（ａ））に比較すると、仕切壁２２（仕切壁中心部２３を除く）が無い分、補強効果をさらに高めることはできない。
【００２５】
これに対して、前述した第１実施形態では、渦巻き状の仕切壁２２（仕切壁中心部２３含む）とスピーカ３を構成する剛性部材（特に、フレーム３４やヨーク３３等）とがスピーカボックス２の前面側の壁４ａと後面側の壁５ａの間に設けられた補強部材としての高い補強効果を発揮する。しかも、音増幅部２０を経由して補助放音口９から出力される音によって例えば低音の音圧を増強させることができる。このため、スピーカボックスの振動による音質の劣化の問題がより効果的に防止され、外部からの振動や衝撃に対する耐性もより高く、周波数特性（特に低音特性）も良い、より高品質なスピーカ装置が実現できる。
【００２６】
しかも第１実施形態では、スピーカ背面を固定する固定部材としてネジ部材２６を使用しているため、通常のネジ止めによってスピーカ背面を固定でき組立が容易である。特に第１実施形態の場合、スピーカボックス２を構成する各ケース４，５を相互に固定するためのネジ部材７と同様に、スピーカボックス２の外部後方からネジ部材２６を挿入してねじ込む構成である。このため、スピーカ背面を固定する作業（即ち、ネジ部材２６をねじ込む作業）は、各ケース４，５の固定のためにネジ部材７をねじ込む作業と同様の工程で可能であり、組立工数は比較例１に対してほとんど増加しない（ネジ部材が１個増えるのみである）。また音増幅部２０は、スピーカボックス２の後面側の壁５ａと一体に形成された仕切壁２２と、スピーカ３の背面等とで囲まれた音響路２１によって構成されているため、既述したようにスピーカ３を前ケース４に取り付けた後に後ケース５を取り付けることによって、音増幅部２０が自然と組み立てられることになり、この音増幅部２０を組み立てる工程を別途設ける必要はない。したがって、第１実施形態のスピーカ装置１は、スピーカ背面が固定され、音増幅部２０を備えている構成でありながら、装置全体の組立工数は比較例２と同じであり、比較例１に対してもほとんど増加しない。
【００２７】
また第１実施形態では、既述したように補助放音口９がネジ部材２６（固定部材）を挿入する開口としても機能しているとともに、ネジ部材２６を取り付ける仕切壁中心部２３が音増幅部２０の仕切壁２２の一部としても機能している。このため、スピーカ背面を固定して補強するための構造と音増幅部２０を形成する構造とが一体に設けられており、これらの構造を別個に設ける場合に比べて、小型で低コストなものとなるという効果もある。
【００２８】
次に、図２を参照して、この発明の第２実施形態であるスピーカ装置１ｂついて説明する。なお、第１実施形態と同じ構成要素については同符号を用いて説明を省略する（他の実施形態でも同様）。
本例のスピーカ装置１ｂは、図２（ａ）に示すように、仕切壁中心部２３のネジ台座部２３ａに挿通孔２４が形成されておらず、仕切壁中心部２３はネジ部材の取付部として機能していない。本例では、仕切壁２２の左右両側（音増幅部２０の左右両側）に、音増幅部２０とは別個に、ネジ取付部４１，４２が設けられている。また、図２（ｃ）に示すように、後ケース５の壁５ａには、ネジ取付部４１，４２にそれぞれ対応する位置にネジ挿入口４３，４４が形成されている。ネジ取付部４１は、ネジ挿入口４３の周縁部から内側（前方）に突出するように設けられた円筒状部４１ａと、この円筒状部４１ａの先端を塞ぐように形成されたネジ台座部４１ｂとを有し、ネジ台座部４１ｂにはネジ部材４５の挿通孔４７（図２（ｂ）に示す）が形成されている。同様に、ネジ取付部４２は、ネジ挿入口４４の周縁部から突出する円筒状部４２ａと、この円筒状部４２ａの先端を塞ぐネジ台座部４２ｂとを有し、ネジ台座部４２ｂにはネジ部材４６の挿通孔４８（図２（ｂ）に示す）が形成されている。
【００２９】
そして、スピーカ３の背面（この場合、ヨーク３３の背面）と、仕切壁２２（仕切壁中心部２３含む）及びネジ取付部４１，４２との間には、磁力によって吸着可能な鉄などよりなる吸着板４９（本願発明の磁性部材に相当）が挟まれた状態で設けられている。この吸着板４９には、ネジ挿入口４３，４４から挿入されたネジ部材４５，４６の軸部がネジ台座部４１ｂ，４２ｂの挿通孔４７，４８からそれぞれねじ込まれ、これによって吸着板４９は、ネジ取付部４１，４２に締結されており、仕切壁２２（即ち音増幅部２０）に対して固定されている。なお、仕切壁２２（仕切壁中心部２３含む）及びネジ取付部４１，４２は、突出高さが全て同じであるが、第１実施形態に比べて吸着板４９の厚さ分だけ、これらの突出高さが低くなっている。これにより、組立状態においては、吸着板４９がスピーカ３の背面（ヨーク３３の背面）に接合（或いは、極めて僅かな隙間で対向）する構成となっている。
【００３０】
なお、吸着板４９は、必ずしも鉄などの金属製の板である必要はない。吸着板４９としては、永久磁石３１の磁力が作用して吸着可能な板であれば、他の材質（例えば、プラスチック磁性材料）からなるものでもよい。また、吸着板４９自体も永久磁石である態様であってもよい。
また、本例における音響路２１は、スピーカボックス２の後面側の壁５ａと、この壁５ａから内側（前方）に突出するように設けられた仕切壁２２（仕切壁中心部２３含む）と、吸着板４９とにより囲まれた空間として形成される。また組立工程においては、後ケース５を組み付ける前に、後ケース５に対して吸着板４９を前述したようにネジ部材４５，４６で固定しておく必要がある。
【００３１】
この第２実施形態であると、スピーカ３の背面が永久磁石３１の磁力によって吸着板４９に吸着固定され、スピーカ３の背面が吸着板４９を介して音増幅部２０（仕切壁２２）に対して固定される。このため、第１実施形態と同様の効果に加えて、次の効果を奏することができる。即ち、この第２実施形態では、吸着板４９が固定部材（他面側固定手段）として機能し、磁石（この場合、ヨーク３３）にネジ部材をねじ込む必要がないため、磁石にねじ込んだネジ部材の影響でスピーカ３の磁気回路の特性が変化してしまうといった弊害が生じる恐れが無くなる。
【００３２】
なお図４（ｃ）は、この第２実施形態に対する比較例３を示す図である。比較例３は、第２実施形態において、音増幅部２０を削除したものである。この比較例３の構成でも、吸着板４９の作用のよってスピーカ３の背面が後面側の壁５ａに対して固定されて、スピーカ３が両持ち状に支持されて補強部材としても機能するため、スピーカ装置全体の剛性や外部からの振動や衝撃に対する耐性が高まる。但し、例えばスピーカボックスが小型なものである場合、低音の少ない詰まった音になりやすいといった問題は改善できない。また、第２実施形態（図２（ａ））に比較すると、仕切壁２２（仕切壁中心部２３含む）が無い分、補強効果をさらに高めることはできない。
【００３３】
これに対して、第２実施形態では、仕切壁２２（仕切壁中心部２３含む）やネジ取付部４１，４２及び吸着板４９と、スピーカ３を構成する剛性部材（特に、フレーム３４やヨーク３３等）とがスピーカボックス２の前面側の壁４ａと後面側の壁５ａの間に設けられた補強部材としての高い補強効果を発揮する。しかも、音増幅部２０を経由して補助放音口９から出力される音によって例えば低音の音圧を増強させることができる。このため、スピーカボックスの振動による音質の劣化の問題がより効果的に防止され、外部からの振動や衝撃に対する耐性もより高く、周波数特性（特に低音特性）も良い、より高品質なスピーカ装置が実現できる。
【００３４】
次に、図３（ａ）を参照して、この発明の第３実施形態ついて説明する。
本例は、第１実施形態の変形例である。本例では、図３（ａ）に示すように、仕切壁中心部２３の円筒状部２３ｂの開口２５が左右両側に形成されている。このように開口２５は、複数設けられていてもよい。なお、開口２５の大きさや位置も第１実施形態に限定されるものではない。
【００３５】
次に、図３（ｂ），（ｃ）を参照して、この発明の第４実施形態について説明する。
本例は、第２実施形態の変形例である。本例では、仕切壁中心部２３が削除された構成となっている。第２実施形態では、仕切壁中心部２３にネジ部材を取り付ける必要がないので、音響路２１の仕様によっては、図３（ｂ），（ｃ）に示すように仕切壁中心部２３を削除した構成とすることができる。
【００３６】
なお、音響路２１は、例えば一般的なバックロードホーン型スピーカシステムのバックロードホーンと同様に、始端２１ａから終端２１ｂに向かって、断面積が徐々に増加する仕様としてもよい。そして、このように断面積が徐々に増加する音響路２１を実現するために、前述した開口２５の大きさや数を増やしたり、仕切壁中心部２３を削除した構成としたり、補助放音口９の径寸法を大きくしたりしてもよい。また、音増幅部の音（音響路内を伝播した音）を外部に放音する補助放音口は、スピーカボックスの後側に設ける態様に限られず、例えば音増幅部の音響路の終端をスピーカボックスの前側の壁４ａまで延ばし、この前側の壁４ａに設けた補助放音口から音増幅部の音を放音するようにしてもよい。
【００３７】
また、スピーカ（スピーカニット）は一つに限らず、一つのスピーカボックスに複数設けてもよい。例えば、スピーカユニットを異なる周波数範囲毎に有するいわゆるツーウェイ、スリーウェイといったスピーカシステムに本発明を適用することもできる。この場合、全てのスピーカに対して音増幅部や固定部材（スピーカ背面を固定する部材）を設ける必要は必ずしも無く、特定のスピーカ（例えば低音側のスピーカ）に対してのみ音増幅部や固定部材を設けてもよい。
【００３８】
また、スピーカユニットの構造は、必ずしも第１実施形態で説明したものに限られない。例えば、リング状でない永久磁石を使用したもの、永久磁石の代わりに電磁石を使用したものなどもあり得る。また、永久磁石やヨークとは別に背面にカバーなどの別部材が固定されたスピーカユニットが使用され、この別部材にネジ部材（固定部材）がねじ込まれてスピーカ背面側が固定されるといった構成でもよい。
【００３９】
以上、この発明のいくつかの実施形態について説明したが、この発明は、これらに限定されるものではなく、特許請求の範囲に記載された発明とその均等の範囲を含むものである。
以下に、本願の特許請求の範囲に記載された発明を付記する。
【００４０】
（付記）
請求項１に記載の発明は、スピーカボックスと、磁石を備えたスピーカとを有し、このスピーカにおける前記磁石と反対側に位置する前面が前記スピーカボックス内の一面に取り付けられたスピーカ装置において、
前記スピーカボックス内における前記スピーカの前記磁石側に位置する他面に設けられて前記スピーカの一部の音を増幅する音増幅部と、
この音増幅部に対して前記スピーカの前記磁石側の部材を固定する固定部材と
を備えていることを特徴とするスピーカ装置である。
【００４１】
請求項２に記載の発明は、請求項１に記載のスピーカ装置において、前記固定部材は、前記音増幅部と前記磁石側の部材とを締結するネジ部材であることを特徴とするスピーカ装置である。
【００４２】
請求項３に記載の発明は、請求項１に記載のスピーカ装置において、前記固定部材は、前記音増幅部に固定されて磁力によって前記磁石側の部材に吸着固定される磁性部材であることを特徴とするスピーカ装置である。
【００４３】
請求項４に記載の発明は、請求項１〜請求項３のいずれかに記載のスピーカ装置において、前記音増幅部には、補助放音口が設けられていることを特徴とするスピーカ装置である。
【符号の説明】
【００４４】
１、１ｂ  スピーカ装置
２  スピーカボックス
３  スピーカ
４  前ケース
５  後ケース
６  主放音口
９  補助放音口
２０  音増幅部
２１  音響路
２２  仕切壁
２６  ネジ部材（固定部材）
３１  永久磁石（磁石）
３３  ヨーク（磁石）
３６  ネジ部材
４９  吸着板（磁性部材、固定部材）
【図１】
2012186576.tif 000003
【図２】
2012186576.tif 000004
【図３】
2012186576.tif 000005
【図４】
2012186576.tif 000006